(57)【要約】【課題】  複雑な制御手段を要することなく、簡易な装置によって確実に太陽の運行と同期させて一定方向に太陽の反射光を照射することができ、この結果建物の光環境等を効果的に向上させることが可能となる太陽追尾式採光装置およびこれを用いた建物の採光システムを提供する。【解決手段】  この太陽追尾式採光装置は、地球の自転軸（地軸）に平行に設置される回転軸３と、この回転軸３を太陽の運行と同期する速度で回転させる駆動手段４、５と、回転軸３に対して４５°±２°の傾斜角度で取り付けられて回転軸３と一体に回転する鏡部材６とを備えてなる。【選択図】  図３
2006338915.tif 000002
【特許請求の範囲】
【請求項１】
地球の自転軸に平行に設置される回転軸と、この回転軸を太陽の運行と同期する速度で回転させる駆動手段と、上記回転軸に対して４５°±２°の傾斜角度で取り付けられて上記回転軸と一体に回転する鏡部材とを備えてなることを特徴とする太陽追尾式採光装置。
【請求項２】
上記鏡部材は、上記傾斜角度を基準にし、かつこの傾斜角度を中心として、その前後に少なくとも太陽赤緯の最大値と最小値との間の角度範囲の１／２の角度範囲において当該傾斜角度が調整可能に設けられるとともに、この鏡部材を上記回転軸の各日の回転に基づいて各日の上記太陽赤緯の変化の１／２の角度だけ傾斜させる太陽赤緯調整機構を備えてなることを特徴とする請求項１に記載の太陽追尾式採光装置。
【請求項３】
上記太陽赤緯調整機構は、各日の上記回転軸の回転を一定のストロークの直線運動に変換する変換機構と、この変換機構および上記鏡部材にそれぞれ回り対偶で連結されたクランクロッドとを備え、上記クランクロッドは、上記変換機構から出力される上記一定のストロークにより、上記鏡部材を各日の上記太陽赤緯の変化の１／２の角度だけ傾斜させる長さ寸法および連結位置に設定されていることを特徴とする請求項２に記載の太陽追尾式採光装置。
【請求項４】
日影部が形成される空間を間に挟む建物の北側の屋上に、請求項１ないし３のいずれかに記載の上記太陽追尾式採光装置を、上記回転軸を地球の回転軸に平行に位置させるとともに、上記鏡部材を太陽側に向けて配置し、上記空間を間に挟む建物の南側の壁面であって上記回転軸の延長線上の位置に、上記鏡部材によって反射された太陽光を上記空間内の所望箇所に向けて照射させる反射部材を設けたことを特徴とする建物の採光システム。
【請求項５】
上記建物の北側の屋上に設けられた太陽追尾式採光装置は、水平方向および鉛直方向に複数の上記鏡部材を有するとともに、かつ一の上記駆動手段は、複数の上記鏡部材を回転駆動させることを特徴とする請求項４に記載の建物の採光システム。
【発明の詳細な説明】
【技術分野】
【０００１】
本発明は、太陽を追尾しつつその光を一定の方向に反射する太陽追尾式採光装置およびこれを用いた建物の採光システムに関するものである。
【背景技術】
【０００２】
近接した建物の間や、建物内に形成されたボイドの下部には、太陽光が直接照射されない空間が形成されてしまう。
このため、当該空間における光環境を向上させるために、太陽の運行に追従させつつ太陽光を反射させて、本来日影となる部分に太陽光を照射させるための各種の太陽追尾式採光装置が開発されている。
【０００３】
例えば、下記特許文献１には、支持部材に垂直回転部材を、制御手段によって駆動される駆動モータを備えた水平方向回転装置により回転自在に垂設し、この垂直回転部材の下端部に水平軸を設けるとともに、この水平軸に反射鏡を、制御装置によって駆動される駆動モータを備えた垂直方向回転装置により回転自在に設けた太陽光採光装置が提案されている。
【０００４】
上記構成からなる採光装置は、上記制御装置によって太陽を追尾し、水平方向回転装置の駆動モータを駆動制御して垂直回転部材を所定角度だけ水平方向に回転させて反射鏡を太陽に正対させるとともに、垂直方向回転装置の駆動モータを駆動制御して、垂直方向に所定角度だけ回転させ、反射鏡を水平面に対して所定角度傾斜させることにより、当該反射鏡によって太陽光を真下に反射させるようにしたものである。
【０００５】
上記採光装置によれば、太陽の運行に伴って、反射鏡の垂直方向および水平方向の回転角度を時々刻々と変動させることにより、太陽の高度および方位に関係なく、常に太陽光を反射鏡の真下に反射させて所要箇所の採光を行うことができるとされている。
【０００６】
また、下記特許文献２には、この種の太陽追尾式採光装置を用いた建物の採光装置が開示されている。
この採光装置においても、上記特許文献１に記載の採光装置と同様の、方位角度制御部および高度角度制御部と、これら制御部によって各々駆動制御されるパルスモータと、これらパルスモータによって傾斜角度が適宜変えられる可動反射鏡とを有する太陽光追尾式反射装置が用いられている。
【０００７】
そして、この採光装置は、日影部の北側の建物の屋上に、上記太陽光追尾式反射装置を設けるとともに、日影部を生じさせる建物の壁面に固定反射鏡を設けたものである。
上記採光装置によれば、マイクロコンピュータ等の演算制御部において、予め設定された太陽の南中時のデータ、傾斜角データ等に基づいて可動反射鏡の高度角や方位角等を算出し、得られた結果に基づいて上記制御部により各々のパルスモータを駆動して、可動反射鏡の方位角および高度角を設定し、太陽光を上記可動反射鏡から、対向する上記固定反射鏡に反射させることにより、固定反射鏡からの反射光により日影部の照明状態を変えることができる。
【特許文献１】特開平３−１６３７０３号公報
【特許文献２】特開昭６１−１７２１０８号公報
【発明の開示】
【発明が解決しようとする課題】
【０００８】
しかしながら、上記従来の太陽追尾式採光装置およびこれを用いた建物の採光システムにあっては、いずれも太陽の位置を方位角と高度角との２つの成分にわけて、各々を制御手段によりパルスモータ等の駆動装置を駆動制御して、反射鏡を各駆動軸回りに回転させるものである。
【０００９】
このため、太陽追尾式採光装置の装置が複雑になるとともに、特に広い成功面積を得るために多数の太陽追尾式採光装置を設ける必要がある場合には、全体として駆動制御が煩雑化するとともに、装置全体の設置コストも極めて高いものになってしまうという問題点があった。
【００１０】
この発明は、かかる事情に鑑みてなされたもので、複雑な制御手段を要することなく、簡易な装置によって確実に太陽の運行と同期させて一定方向に太陽の反射光を照射することができ、この結果建物の光環境等を効果的に向上させることが可能となる太陽追尾式採光装置およびこれを用いた建物の採光システムを提供することを課題とするものである。
【課題を解決するための手段】
【００１１】
上記課題を解決するために、請求項１に記載の本発明に係る太陽追尾式採光装置は、地球の自転軸（地軸）に平行に設置される回転軸と、この回転軸を太陽の運行と同期する速度で回転させる駆動手段と、上記回転軸に対して４５°±２°の傾斜角度で取り付けられて上記回転軸と一体に回転する鏡部材とを備えてなることを特徴とするものである。
【００１２】
また、請求項２に記載の発明は、請求項１に記載の発明において、上記鏡部材が、上記傾斜角度を基準にし、かつこの傾斜角度を中心として、その前後に少なくとも太陽赤緯の最大値と最小値との間の角度範囲の１／２の角度範囲において当該傾斜角度が調整可能に設けられるとともに、この鏡部材を上記回転軸の各日の回転に基づいて各日の上記太陽赤緯の変化の１／２の角度だけ傾斜させる太陽赤緯調整機構を備えてなることを特徴とするものである。
【００１３】
さらに、請求項３に記載の発明は、請求項２に記載の太陽赤緯調整機構が、各日の上記回転軸の回転を一定のストロークの直線運動に変換する変換機構と、この変換機構および上記鏡部材にそれぞれ回り対偶で連結されたクランクロッドとを備え、上記クランクロッドは、上記変換機構から出力される上記一定のストロークにより、上記鏡部材を各日の上記太陽赤緯の変化の１／２の角度だけ傾斜させる長さ寸法および連結位置に設定されていることを特徴とするものである。
【００１４】
次いで、請求項４に記載の本発明に係る建物の採光システムは、日影部が形成される空間を間に挟む建物の北側の屋上に、請求項１ないし３のいずれかに記載の上記太陽追尾式採光装置を、上記回転軸を地球の回転軸に平行に位置させるとともに、上記鏡部材を太陽側に向けて配置し、上記空間を間に挟む建物の南側の壁面であって上記回転軸の延長線上の位置に、上記鏡部材によって反射された太陽光を上記空間内の所望箇所に向けて照射させる反射部材を設けたことを特徴とするものである。
【００１５】
また、請求項５に記載の発明は、請求項４に記載の発明においては、上記建物の北側の屋上に設けられた太陽追尾式採光装置が、水平方向および鉛直方向に複数の上記鏡部材を有するとともに、かつ一の上記駆動手段が、複数の上記鏡部材を回転駆動させることを特徴とするものである。
【発明の効果】
【００１６】
請求項１〜３のいずれかに記載の太陽追尾式採光装置においては、図６（ａ）に示すように、その回転軸Ｒを設置場所において地球の自転軸Ｐと平行になるように設置するとともに、当該回転軸Ｒに４５°の傾斜角度で取り付けた鏡部材Ｍを太陽に向けると、太陽から当該鏡部材Ｍへの入射角が４５°となる。なお、図６は、上記太陽追尾式採光装置を北緯４３°の場所に設置した場合を例示したものである。
【００１７】
そして、駆動手段Ｄによって、回転軸Ｒを太陽の運行と同期する速度で回転させると、鏡部材Ｍも回転軸Ｒと一体に回転し、この結果、常に鏡部材Ｍからの反射光は、図中矢印で示すように、回転軸Ｒと平行に照射される。
【００１８】
このため、上記太陽追尾式採光装置によれば、上記回転軸Ｒの下方延長線上に、反射鏡、パラボラミラーやレンズ等の集光部材、あるいは太陽光発電パネル等を配置することにより、複雑な制御手段を要することなく、簡易な装置によって確実に太陽の運行と同期させて、常時上記反射鏡等へ太陽の反射光を照射することができる。
【００１９】
なお、太陽は、地球の自転軸Ｐ回りに、２４時間で３６０°相対的に回転するために、回転軸Ｒを太陽の運行と同期する速度で回転させるには、回転軸Ｒを１５°／時間の回転速度で回転させればよい。この際に、上記回転軸Ｒを２４時間、連続的に上記回転速度で回転駆動してもよく、あるいは日出位置から日没位置まで上記回転速度で回転させた後に一旦停止させ、日出位置まで復帰させて、再び日出時から上記回転速度で回転させるようにしてもよい。
【００２０】
また、鏡部材に取り付ける回転軸の傾斜角度を４５°±２°としたのは、回転軸を正確に地球の自転軸と平行に設置し、かつ当該鏡部材を回転軸に対して正確に４５°に取り付けることがもっとも好ましいが、上記回転軸の設置誤差あるいは鏡部材の取り付け誤差を考慮して、概ね反射光が回転軸Ｒと平行に照射されるように、上記４５°に対し±２°の範囲を許容したものである。
【００２１】
ところで、図６（ａ）〜（ｃ）に示すように、地球は、その自転軸Ｐ回りに１日１回自転しながら太陽の回りを１年で１周公転している。この際に、上記自転軸Ｐは、公転軸に対して約２３°２７′の傾きを持っているため、太陽光と地球の赤道面との角度（太陽赤緯）は、地球の公転に伴って変化し、同図（ａ）に示す春秋分時に０°であったものが、同図（ｂ）に示す夏至において＋２３°２７′になり、同図（ｃ）に示す冬至において−２３°２７′になる。
【００２２】
そこで、請求項２または３に記載の発明のように、上記鏡部材Ｍを、春秋分時を基準として回転軸に対しほぼ４５°に取り付け、さらにこの傾斜角度を中心として、その前後に少なくとも上記太陽赤緯の最大値（＋２３°２７′）と最小値（−２３°２７′）との間の１／２の角度範囲、すなわち少なくとも±１１．７５°の角度範囲において、上記傾斜角度を調整可能に設けるとともに、太陽赤緯調整機構によって、鏡部材Ｍを、回転軸Ｒの１日ごとの回転に基づいて１日の上記太陽赤緯の変化に対応する角度だけ傾斜させるようにすれば、別途駆動手段を用いることなく、日々の回転軸Ｒの回転を利用して、１年を通して鏡部材Ｍからの反射光を回転軸Ｒと平行に南側下方に向けて照射することができる。
【００２３】
したがって、請求項４または５に記載の建物の採光システムによれば、日影部が形成される空間を間に挟む建物の北側の屋上に、上記太陽追尾式採光装置を、回転軸が地球の回転軸と平行になるように位置させ、かつ鏡部材を太陽側に向けて設置しているので、常時、太陽光が鏡部材によって回転軸の延長線上に反射される。
この結果、上記反射光を、上記空間を間に挟む建物の南側の壁面に設けられた反射部材によって、上記空間内の所望箇所に向けて照射させることができる。
【００２４】
この際に、上記反射部材を複数設け、各々の反射部材の傾斜角度等を適宜選択することにより、本来日影部となる上記空間内の様々な箇所において、一日中所望の採光を得ることができ、よってボイド等が形成された高層の建物や、２棟が近接して建設された建物における光環境を大幅に改善することが可能となる。
【００２５】
また、上記太陽追尾式採光装置は、構造が簡易であって、回転軸を太陽の運行速度で回転させるのみで確実に太陽光を回転軸の延長線上に反射させることができるために、上記建物の採光システムにおいて、採光を要する上記所望箇所が広範囲になった場合には、請求項５に記載の発明のように、上記太陽追尾式採光装置として、水平方向および鉛直方向に多数の鏡部材を有するものを用い、かつこれら鏡部材のうちの複数を一の駆動手段によって回転駆動させれば、経済性に優れるとともに、一の駆動手段を作動させるのみによって、容易に上記広い範囲の箇所に光を照射させることが可能となる。
【発明を実施するための最良の形態】
【００２６】
図１〜図４は、本発明に係る太陽追尾式採光装置の一実施形態を示すもので、図中符号１が任意の設置箇所に載置される支持台である。
図１および図２に示すように、この支持台１の上端部には、枢軸１ａを介して採光装置本体の取付部材２が、鉛直に対する傾斜角度が調整可能となるように揺動自在に設けられている。そして、この取付部材２の上部に回転軸３が回転自在に支承されている。
【００２７】
また、取付部材２の揺動方向背面側には、ステッピングモータ４および減速歯車装置５からなる駆動手段が取り付けられており、この減速歯車装置５の出力歯車５ａが、回転軸３の基端部に一体化された駆動歯車３ａと歯合されている。ここで、ステッピングモータ４および減速歯車装置５は、１５°／時間の回転速度、すなわち１日１回転の回転速度で回転軸３を回転させるように設定されている。
【００２８】
他方、回転軸３の先端部には、鏡部材６が回転軸３に対して４５°の傾斜角度を基準として設けられている。この鏡部材６は、その背面６ａの中央において枢軸７を介して回転軸３の先端に連結されることにより、回転軸３に対する傾斜角度が調整可能に設けられている。また、回転軸３の長手方向中間部には、外周に３６５枚の歯８が形成されたクランクホイール９が回転自在に設けられている。
【００２９】
そして、このクランクホイール９と鏡部材６の枢軸７から離間した位置との間にはクランクロッド１０が設けられている。ここで、クランクロッド１０は、両端部に配設された枢軸１１ａ、１１ｂを介してクランクホイール９および鏡部材６に、それぞれ回り対偶によって連結されている。
【００３０】
さらに、クランクホイール９と取付部材２との間に位置する回転軸３の外周には、この回転軸３から径方向に突出するシリンダー部材１２が一体的に固定されている。
このシリンダー部材１２には、回転軸３と平行に設けられてこのシリンダー部材１２の両端部から突出するピストンロッド１３が、その先端部１３ａをクランクホイール９の歯８に臨ませて軸線方向に移動自在に設けられている。
【００３１】
このピストンロッド１３は、シリンダー部材１２の内部に設けられたスプリング（図３および図４では模式的に外部に描いている。）１４により、取付部材２側に付勢されており、シリンダー部材１２内には、ピストンロッド１３の基端部１３ｂが取付部材２の対向面２ａに近接した位置において当該ピストンロッド１３の移動を係止するストッパが設けられている。
【００３２】
他方、取付部材２の上記対向面２ａには、これから突出するピストン駆動用のカム１５が設けられている。これにより、回転軸３が１回転した際に、ピストンロッド１３の基端部１３ｂがカム１４により図中左方に押し戻され、先端部１３ａがラチェット式にクランクホイール９を一枚の歯８に相当する角度だけ回転させるようになっている。
【００３３】
そして、これらシリンダー部材１２、ピストンロッド１３、スプリング１４およびカム１５により、回転軸３の１回転を一定のストロークの直線運動に変換する変換機構が構成されている。また、クランクロッド１０の長さ寸法および枢軸７、１０間の長さ寸法は、ピストンロッド１３の一ストロークにより、クランクホイール９が一枚の歯８だけ回動した際に、鏡部材６を各日の太陽赤緯の角度変化の１／２の角度（２３°２７′／３６５）だけ傾斜させる寸法に設定されている。
【００３４】
この結果、シリンダー部材１２、ピストンロッド１３、スプリング１４、カム１５、クランクホイール９およびクランクロッド１０により、この太陽追尾式採光装置における太陽赤緯調整機構が構成されている。
【００３５】
以上の構成からなる太陽追尾式採光装置においては、回転軸３を設置場所において地球の自転軸と平行になるように設置するとともに、回転軸３に４５°の傾斜角度で取り付けた鏡部材６を太陽に向けて配置すると、図６（ａ）に示すたように、太陽から鏡部材６への入射角が４５°となる。
【００３６】
そして、ステッピングモータ４および減速歯車装置５からなる駆動手段によって、回転軸３を太陽の運行と同期する速度で回転させると、鏡部材６も回転軸３と一体に回転し、この結果、常に鏡部材６からの反射光は、回転軸３と平行に照射される。
【００３７】
この結果、上記太陽追尾式採光装置によれば、回転軸３の延長線上に、反射鏡、パラボラミラーやレンズ等の集光部材、あるいは太陽光発電パネル等を配置することにより、複雑な制御手段を要することなく、簡易な装置によって確実に太陽の運行と同期させて、常時上記反射鏡等へ太陽の反射光を照射することができる。
【００３８】
さらに、回転軸３が１日１回転すると、シリンダー部材１２も回転軸３と一体に１日一回転する。そして、この過程において、図４に示すように、ピストンロッド１３の基端部１３ｂがカム１５によりスプリング１４の付勢力に抗して押圧され、クランクホイール９をその１枚の歯８に相当する角度だけ回動させる。これにより、クランクホイール９に連結されたクランクロッド１０により、鏡部材６を各日の太陽赤緯の角度変化の１／２の角度だけ余分に傾斜させる。
【００３９】
これにより、１年を通じて鏡部材６を、常に太陽からの入射角度に対して４５°の角度を保持させることができ、よって別途駆動手段を用いることなく、日々の回転軸３の回転を利用して、常時鏡部材６からの反射光を回転軸３と平行に照射させることができる。
【００４０】
なお、太陽追尾式採光装置における太陽赤緯調整機構としては、図１〜図４に示したものに限らず、例えば図５に示すような、各種形態の太陽赤緯調整機構を用いることもできる。
すなわち、この太陽追尾式採光装置に設けられた太陽赤緯調整機構においては、採光装置本体の基台２０上に、回転軸３を支承する一対の取付部材２１が間隔をおいて対向配置されるとともに、これら取付部材２１間にウオームホイール２２が軸２４回りに回転自在に設けられている。
【００４１】
このウオームホイール２２は、外周に３６５枚の歯２３が形成されている。そして、このウオームホイール２２と対向する回転軸３の外周には、当該ウオームホイール２２の歯２３と歯合するウオーム２５が固定されている。ここで、ウオーム２５は、回転軸３が１回転した際に、ウオームホイール２２を１枚の歯２３だけ回動させるように形成されている。
【００４２】
他方、鏡部材６側の取付部材２１には、回転軸３と平行に鏡部材６側に突出するスライダー軸２６が設けられている。このスライダー軸２６には、クランクスライダー２７が移動自在に設けられるとともに、回転軸３にはミラースライダー２８が移動自在に設けられ、これらクランクスライダー２７とミラースライダー２８とが連結部材２９により一体的に連結されている。
【００４３】
そして、ウオームホイール２２とクランクスライダー２７とが、両端が回り対偶とされたクランクロッド３０によって連結されている。また、ミラースライダー２８と鏡部材６とが、同様に両端が回り対偶とされたクランクロッド３１によって連結されている。
【００４４】
上記構成からなる太陽赤緯調整機構を備えた太陽追尾式採光装置によっても、回転軸３が１日１回転すると、ウオーム２５も１回転し、これによりウオームホイール２２が軸２４回りに１／３６５回転分だけ回動する。これにより、ウオームホイール２２に連結されたクランクロッド３０により、クランクスライダー２７およびミラースライダー２８が一定のストロークだけ移動するために、クランクロッド３１により鏡部材６を各日の太陽赤緯の角度変化の１／２の角度だけ余分に傾斜させることができる。
【００４５】
したがって、上記太陽追尾式採光装置によっても、図１〜図４に示したものと同様の作用効果を得ることができるとともに、上記太陽赤緯調整機構により、１年を通じて鏡部材６を、常に太陽からの入射角度に対して４５°の角度を保持させることができ、同様に別途駆動手段を用いることなく、日々の回転軸３の回転を利用して、常時鏡部材６からの反射光を回転軸３と平行に照射させることができる。
【００４６】
図７〜図９は、本発明に係る建物の採光システムの一実施形態を示すもので、図１〜図４に示したものと共通する構成部分については、同一符号を付してその説明を簡略化する。
図７において、符号３０は、中央部にボイド（日影部が形成される空間）３１が形成された建物である。
【００４７】
そして、この建物３０のボイド３１を間に挟む北側の建物部分３０ａの屋上３２に、太陽追尾式採光装置３３が設置されている。また、建物３０のボイド３１の南側に位置する建物部分３０ｂには、ボイド３１に沿って階段室３４が設けられ、この階段室３４のボイド３１側に面する壁面３４ａに、複数（図では、上下方向に４段）の反射鏡（反射部材）３５ａ〜３５ｄが取り付けられている。
【００４８】
ここで、太陽追尾式採光装置３３は、図７〜図９に示すように、上下左右方向にそれぞれ四組の合計１６基の太陽追尾式採光器３６が配設されたもので、屋上３２上に立設された４本の柱部材３７と、これらを水平方向に連結する横架部材３８とからなる格子状の取付台に上下左右方向の等間隔をおいて取り付けられている。
【００４９】
上記太陽追尾式採光器３６は、各々がステッピングモータ４および減速歯車装置５を有していないこと、および支持台１の形状が異なることを除いて、図１〜図４に示したものと同一の構成からなるもので、各々の回転軸３を地球の回転軸に平行に位置させるとともに、鏡部材６を太陽側に向けて、それぞれの取付部材３９が上記取付台の柱部材３７に固定されている。
【００５０】
そして、中央の柱部材３７間の下部には、ステッピングモータ４０と、このステッピングモータ４０の出力軸に連結されて回転数を減速させるサイクロ減速機４１が取り付けられている。また、このサイクロ減速機４１の上方には、各々の横架部材３８に、円錐角が９０°であって歯数が等しい傘歯車を組み合わせたマイタ歯車を内蔵した回転伝達装置４２、４３が取り付けられている。
【００５１】
ここで、回転伝達機４２は、１本の入力軸に対して等速の３本の出力軸が設けられており、回転伝達機４３には、１本の入力軸に対して２本の出力軸が設けられている。さらに、隣接する柱部材３７に取り付けられた太陽光追尾式採光機３６の回転軸３には、それぞれ上記回転伝達機４３が連結されている。これにより、サイクロ減速機４１の出力軸４１ａは、伝達軸４４により、これら回転伝達機４２、４３を介して、等速で全ての太陽追尾式採光器３６の回転軸３に連結されている。
【００５２】
他方、階段室３４のボイド３１側に面する壁面３４ａの４段の上記反射鏡３５ａ〜３５ｄは、それぞれ上記４段に設けられた太陽光追尾式採光機３６の回転軸３の延長線上に配置されている。これにより、各々の段の太陽追尾式採光器３６の鏡部材６によって反射された太陽光は、各々の段の反射鏡３５ａ〜３５ｄに向けて照射されるようになっている。
【００５３】
そして、反射鏡３５ａ〜３５ｄのうちの最上段の反射鏡３５ａ、２段目の反射鏡３５ｂおよび３段目の反射鏡３５ｃは、それぞれ本来日影部となる北側の建物部分３０ａの３階、２階および１階に設けられたライトシェルフ４５によって当該階に光を照射するように傾斜角度が設定されている。ここで、ライトシェルフとは、プリズムの屈折を利用して任意の方向に反射光を照射させるものである。また、最下段の反射鏡３５ｄは、太陽追尾式採光器３６の鏡部材６からの反射光を、ボイド３１の底部に向けて照射するように設定されている。
【００５４】
以上の構成からなる建物３０の採光システムによれば、日影部が形成されるボイド３１を間に挟む北側の建物部分３０ａの屋上３２に、太陽追尾式採光装置３３を、各々の太陽追尾式採光器３６の回転軸３が地球の回転軸と平行になるように位置させ、かつ鏡部材６を太陽側に向けて設置しているので、常時、太陽光が鏡部材６によって回転軸３の延長線上に反射される。そして、この反射光を、ボイド３１を間に挟む南側の建物部分３０ｂの階段室３４の壁面３４ａに設けられた反射鏡３５ａ〜３５ｄによって、本来日影部となるボイド３１の底部および当該ボイド３１に面する１階〜３階部分に向けて照射させることができる。
【００５５】
この結果、本来日影部となるボイド３１の底部およびこれに面する１階〜３階部分において、一日中所望の採光を得ることができるとともに、反射鏡３５ａ〜３５ｄの傾斜角度を適宜選択したり、あるいは別途反射鏡を追加設置したりすることにより、ボイド３１内における様々な箇所についても、同様に一日中所望の採光を得ることが可能になる。
【００５６】
さらに、１６基の太陽追尾式採光器３６の回転軸３を、マイタ歯車を内蔵した回転伝達装置４２、４３および伝達軸４４によって、１台のステッピングモータ４０およびサイクロ減速機４１により同期的に回転駆動させることができるために、経済性に優れるとともに、高い精度で全ての鏡部材６を太陽の運行に同期させて回転させることができる。
【００５７】
なお、上記実施の形態においては、本発明に係る建物の採光システムを、ボイド３１が形成された建物３０に適用した場合についてのみ説明したが、これに限るものではなく、例えば２棟が近接して建設された複数の建物に対しても、同様に適用することができる。
【図面の簡単な説明】
【００５８】
【図１】本発明の太陽追尾式採光装置の一実施形態を示す全体斜視図である。
【図２】図１の太陽追尾式採光装置が１８０°回転した状態を示す要部の斜視図である。
【図３】図１の概略構成図である。
【図４】図３の太陽追尾式採光装置が１８０°回転した状態を示す概略構成図である。
【図５】図１の太陽赤緯調整機構の他の実施形態を示す概略構成図である。
【図６】北緯４３°における地球の自転軸と太陽追尾式採光装置の回転軸と太陽光の入射角度との関係を示す図で、（ａ）は春秋分の日、（ｂ）は夏至の日、（ｃ）は冬至の日を示す図である。
【図７】本発明の建物の採光システムの一実施形態を示す縦断面視した概略構成図である。
【図８】図７の太陽追尾式採光装置を示す背面図である。
【図９】図８の側面図である。
【符号の説明】
【００５９】
３  回転軸
４、４０  ステッピングモータ（駆動手段）
５  減速歯車装置（駆動手段）
６  鏡部材
９  クランクホイール
１０、３０、３１  クランクロッド
１２  シリンダー部材
１３  ピストンロッド
１４  スプリング
１５  カム
２２  ウオームホイール
２５  ウオーム
２７，２８  スライダー
３０  建物
３０ａ  北側の建物部分
３０ｂ  南側の建物部分
３１  ボイド（日影部が形成される空間）
３２  屋上
３３  太陽追尾式採光装置
３５ａ〜３５ｄ  反射鏡（反射部材）
３６  太陽追尾式採光器
４２  サイクロ減速機（駆動手段）
４２、４３  回転伝達装置
４４  伝達軸
Ｄ  駆動手段
Ｍ  鏡部材
Ｐ  地球の自転軸
Ｒ  回転軸
【図１】
2006338915.tif 000003
【図２】
2006338915.tif 000004
【図３】
2006338915.tif 000005
【図４】
2006338915.tif 000006
【図５】
2006338915.tif 000007
【図６】
2006338915.tif 000008
【図７】
2006338915.tif 000009
【図８】
2006338915.tif 000010
【図９】
2006338915.tif 000011